【手続補正書】
【提出日】平成16年4月15日(2004.4.15)
【手続補正１】
【補正対象書類名】明細書
【補正対象項目名】特許請求の範囲
【補正方法】変更
【補正の内容】
【特許請求の範囲】
【請求項１】
オーディオ信号を第１の複数のデジタルフィルタにそれぞれ供給し、
上記第１の複数のデジタルフィルタの出力を、スピーカアレイを構成する複数のスピーカのそれぞれに供給して音場を形成し、
上記オーディオ信号が上記第１の複数のデジタルフィルタおよび上記複数のスピーカのそれぞれを介して上記音場内の第１のポイントに到達するまでのそれぞれの伝搬遅延時間が一致するように、上記第１の複数のデジタルフィルタにそれぞれ所定の遅延時間を設定し、
上記オーディオ信号を第２の複数のデジタルフィルタにそれぞれ供給し、
上記第２の複数のデジタルフィルタの出力を上記複数のスピーカのそれぞれに供給し、
上記第１の複数のデジタルフィルタの出力から形成される音のうち、上記音場内の第２のポイントにおける音を抑制するように、上記第２の複数のデジタルフィルタにそれぞれ所定の伝達特性を設定する
ようにしたオーディオ信号の再生方法。
【請求項２】
請求項１に記載のオーディオ信号の再生方法において、
上記スピーカアレイから放射される音波は、壁面で反射され上記第１のポイントに到達することを特徴とするオーディオ信号の再生方法。
【請求項３】
請求項２に記載のオーディオ信号の再生方法において、
上記第２のポイントは、上記第１のポイントと実質的に同一であることを特徴とするオーディオ信号の再生方法。
【請求項４】
オーディオ信号を第１の複数のデジタルフィルタにそれぞれ供給し、
上記第１の複数のデジタルフィルタの出力を、第１のスピーカアレイを構成する複数のスピーカのそれぞれに供給して音場を形成し、
上記オーディオ信号が上記第１の複数のデジタルフィルタおよび上記第１のスピーカアレイのそれぞれのスピーカを介して上記音場内の第１のポイントに到達するまでのそれぞれの伝搬遅延時間が一致するように、上記第１の複数のデジタルフィルタにそれぞれ所定の遅延時間を設定し、
上記オーディオ信号を第２の複数のデジタルフィルタにそれぞれ供給し、
上記第２の複数のデジタルフィルタの出力を第２のスピーカアレイを構成する複数のスピーカのそれぞれに供給し、
上記第１の複数のデジタルフィルタの出力から形成される音のうち、上記音場内の第２のポイントにおける音を抑制するように、上記第２の複数のデジタルフィルタにそれぞれ所定の伝達特性を設定する
ようにしたオーディオ信号の再生方法。
【請求項５】
請求項４に記載のオーディオ信号の再生方法において、
上記第１のスピーカアレイから放射される音波は、壁面で反射され上記第１のポイントに到達することを特徴とするオーディオ信号の再生方法。
【請求項６】
請求項４に記載のオーディオ信号の再生方法において、
上記第２のポイントは、上記第１のポイントと実質的に同一であることを特徴とするオーディオ信号の再生方法。
【請求項７】
オーディオ信号がそれぞれ供給される第１の複数のデジタルフィルタと、
上記オーディオ信号がそれぞれ供給される第２の複数のデジタルフィルタと、
複数のスピーカが配列されて構成されるスピーカアレイとを有し、
上記第１の複数のデジタルフィルタの出力を、上記複数のスピーカのそれぞれに供給して音場を形成し、
上記オーディオ信号が上記第１の複数のデジタルフィルタおよび上記複数のスピーカのそれぞれを介して上記音場内の第１のポイントに到達するまでのそれぞれの伝搬遅延時間が一致するように、上記第１の複数のデジタルフィルタにそれぞれ所定の遅延時間を設定し、
上記第２の複数のデジタルフィルタの出力を上記複数のスピーカのそれぞれに供給し、
上記第１の複数のデジタルフィルタの出力から形成される音のうち、上記音場内の第２のポイントにおける音を抑制するように、上記第２の複数のデジタルフィルタにそれぞれ所定の伝達特性を設定する
ようにしたオーディオ信号の再生装置。
【請求項８】
請求項７に記載のオーディオ信号の再生装置において、
上記スピーカアレイから放射される音波は、壁面で反射され上記第１のポイントに到達することを特徴とするオーディオ信号の再生装置。
【請求項９】
請求項８に記載のオーディオ信号の再生装置において、
上記第２のポイントは、上記第１のポイントと実質的に同一であることを特徴とするオーディオ信号の再生装置。
【請求項１０】
請求項７に記載のオーディオ信号の再生装置において、
上記第１の複数のデジタルフィルタの出力と、上記第２の複数のデジタルフィルタの出力とがそれぞれ供給される複数の減算回路を有し、
この複数の減算回路の出力を上記複数のスピーカにそれぞれ供給する
ようにしたオーディオ信号の再生装置。
【請求項１１】
オーディオ信号がそれぞれ供給される第１の複数のデジタルフィルタと、
上記オーディオ信号がそれぞれ供給される第２の複数のデジタルフィルタと、
複数のスピーカが配列されて構成される第１のスピーカアレイと、
複数のスピーカが配列されて構成される第２のスピーカアレイとを有し、
上記第１の複数のデジタルフィルタの出力を、第１のスピーカアレイを構成する複数のスピーカのそれぞれに供給して音場を形成し、
上記オーディオ信号が上記第１の複数のデジタルフィルタおよび上記第１のスピーカアレイのそれぞれのスピーカを介して上記音場内の第１のポイントに到達するまでのそれぞれの伝搬遅延時間が一致するように、上記第１の複数のデジタルフィルタにそれぞれ所定の遅延時間を設定し、
上記オーディオ信号を第２の複数のデジタルフィルタにそれぞれ供給し、
上記第２の複数のデジタルフィルタの出力を第２のスピーカアレイを構成する複数のスピーカのそれぞれに供給し、
上記第１の複数のデジタルフィルタの出力から形成される音のうち、上記音場内の第２のポイントにおける音を抑制するように、上記第２の複数のデジタルフィルタにそれぞれ所定の伝達特性を設定する
ようにしたオーディオ信号の再生装置。
【請求項１２】
請求項１１に記載のオーディオ信号の再生装置において、
上記第１のスピーカアレイから放射される音波は、壁面で反射され上記第１のポイントに到達することを特徴とするオーディオ信号の再生装置。
【請求項１３】
請求項１２に記載のオーディオ信号の再生装置において、
上記第２のポイントは、上記第１のポイントと実質的に同一であることを特徴とするオーディオ信号の再生装置。
【手続補正２】
【補正対象書類名】明細書
【補正対象項目名】００３９
【補正方法】変更
【補正の内容】
【００３９】
そして、この音波ＡＷsの空間合成インパルス応答は、フィルタ係数ＣＦ0s〜ＣＦnsを設定することにより、漏れ音ＡＷncの空間合成インパルス応答Ｉncと等しくされている。また、このとき、フィルタＤＦ0s〜ＤＦnsの出力は、減算回路ＳＴ0〜ＳＴnにおいて、フィルタＤＦ0〜ＤＦnの出力に対して位相反転されて加算されている。


【手続補正３】
【補正対象書類名】明細書
【補正対象項目名】００４０
【補正方法】変更
【補正の内容】
【００４０】
この結果、リスナLSNRの位置では、音波ＡＷsは、漏れ音ＡＷncと周波数成分が同一となるとともに、位相が逆となるので、漏れ音ＡＷncは音波ＡＷsにより相殺される。したがって、図２Ｃに示すように、リスナLSNRには、本来の音波ＡＷLは到達するが、漏れ音ＡＷncはほとんど聞こえないことになる。また、スピーカアレイ１０Ｒについても同様の動作となり、スピーカアレイ１０Ｒから放射される音波ＡＷRに漏れ音を生じても、その漏れ音は相殺され、リスナLSNRにはほとんど知覚されないことになる。